(57)【特許請求の範囲】
【請求項１】
天井裏の構造体に取り付けられ、天井裏の空間に垂下された複数本の吊りボルトに旋回アームとスライド部材とからなる吊下装置を介して吊下される天吊り型空調装置であって、
空調機の本体と、
この本体の下面に着脱可能に装着され天井面に形成された開口部に嵌合されるパネルと、
全体が前記本体に対してほぼ水平面内で回動できるように基部側を前記本体に枢着する旋回アームと、
この旋回アームに設けられたスリットに抜止め装着され上記吊りボルトを挿通するボルト挿通孔に挿通した上記吊りボルトにねじ嵌めされた上下のナットにより挟持されるスライド部材とを備え、
前記スライド部材は前記上下のナットを締め付け固定した状態で前記旋回アームの基部側から自由端側までの間を横移動でき、前記本体を吊下状態のまま天井裏の空間において水平面内で移動させることができ、
前記パネルは、前記本体への装着により前記吊下装置による横方向の移動を拘束する前記開口部への嵌合構造を備えている天吊り型空調装置。
【請求項２】
天井裏の構造体に取り付けられ、天井裏の空間に垂下された複数本の吊りボルトに旋回アームとスライド部材とからなる吊下装置を介して吊下される天吊り型空調装置であって、
空調機の本体と、
この本体の下面に着脱可能に装着され天井面に形成された開口部に嵌合されるパネルと、
前記本体に対してほぼ水平面内で回動できるように基部側を前記本体の側部に回転可能に支持させるＬ字状の旋回アームと、
この旋回アームに設けられたスリットに抜止め装着され上記吊りボルトを挿通するボルト挿通孔に挿通した上記吊りボルトにねじ嵌めされた上下のナットにより挟持されるスライド部材とを備え、
前記スライド部材は前記上下のナットを締め付け固定した状態で前記旋回アームの基部側から自由端側までの間を横移動でき、前記本体を吊下状態のまま天井裏の空間において水平面内で移動させることができ、
前記パネルは、前記本体への装着により前記吊下装置による横方向の移動を拘束する前記開口部への嵌合構造を備えている天吊り型空調装置。
【発明の詳細な説明】
【０００１】
【産業上の利用分野】
本発明は、天井裏の空間に吊りボルトにより吊下される、換気装置や冷暖房装置等の天吊り型空調装置に関するものである。
【０００２】
【従来の技術】
換気装置や冷暖房装置等の空調装置の中には、天井裏のスラブなどに取り付けられ、天井裏の空間に垂下された複数本の吊りボルトによって天井裏の空間に吊下されるものがある。例えば、実公昭６３―３３０６９号公報には吊下装置で吊りボルトに対して吊下させた空調機が示されている。この空調機は、図１２に示すように本体１０１の一側に相対して吊下装置１０２が設けられている。吊下装置１０２は、吊りボルト１０３を貫通させる長孔を有するＬ字状金具１０４と、このＬ字状金具１０４に一端が固定された回転体としてのボルトと、このボルトを回動可能に、しかも上下動可能に支持する支持具１０５とから構成されている。
【０００３】
この吊下装置１０２は、Ｌ字状金具１０４の長孔に吊りボルト１０３を通し、空調機の本体１０１の天井面に対する上下関係を調整したうえで吊りボルト１０３にナットを嵌めて本体１０１を吊下させることができる。天井面に形成された開口部に対する本体１０１の位置の微調整は、水平方向については回転体としてのボルトに対する支持具１０５の回転により、上下方向についてはボルトに対する支持具１０５の上下動により行なうことができるようになっている。
【０００４】
【発明が解決しようとする課題】
吊りボルトにより吊下させる機器は多くあるが、それらのいずれもその吊下装置は機器の固定を目的としており、機器を移動可能態におくことは意図していない。従って、そのままでは一旦吊下させた機器の移動はできず、機器の保守点検の際には吊りボルトから機器を取り外さなければならない。前述の従来例の空調機についても、吊下装置１０２で仮固定した状態で本体１０１の位置を水平方向にも上下方向にも微調整することができるものの、一旦吊下させた機器の移動はできない。
【０００５】
本発明は上記した従来の問題点を解消するためになされたもので、その課題とするところは、吊りボルトに対して機器を横方向に移動可能態で吊下することができ、保守点検の際には吊下状態のまま天井裏の空間を横移動させることができる空調装置を提供することである。
【０００６】
【課題を解決するための手段】
空調機の本体と、この本体の下面に着脱可能に装着され天井面に形成された開口部に嵌合されるパネルと、全体が本体に対してほぼ水平面内で回動できるように基部側を本体に枢着する旋回アームと、この旋回アームに設けられたスリットに抜止め装着され上記吊りボルトを挿通するボルト挿通孔に挿通した上記吊りボルトにねじ嵌めされた上下のナットにより挟持されるスライド部材とを備え、スライド部材は上下のナットを締め付け固定した状態で旋回アームの基部側から自由端側までの間を横移動でき、本体を吊下状態のまま天井裏の空間において水平面内で移動させることができ、
パネルは、本体への装着により吊下装置による横方向の移動を拘束する開口部への嵌合構造を備えている。
【０００７】
空調機の本体と、この本体の下面に着脱可能に装着され天井面に形成された開口部に嵌合されるパネルと、本体に対してほぼ水平面内で回動できるように基部側を本体の側部に回転可能に支持させるＬ字状の旋回アームと、この旋回アームに設けられたスリットに抜止め装着され上記吊りボルトを挿通するボルト挿通孔に挿通した上記吊りボルトにねじ嵌めされた上下のナットにより挟持されるスライド部材とを備え、スライド部材は上下のナットを締め付け固定した状態で旋回アームの基部側から自由端側までの間を横移動でき、本体を吊下状態のまま天井裏の空間において水平面内で移動させることができ、パネルは、本体への装着により吊下装置による横方向の移動を拘束する開口部への嵌合構造を備えている。
【０００８】
【作用】
機器に相対して旋回アームを取り付け、各旋回アームのスライド部材がそれぞれ移動範囲における同方向端又は中間部に位置する状態でボルト挿通孔に吊りボルトをそれぞれ挿通させ、挿通した各吊りボルトにねじ嵌めされた上下のナットにより各スライド部材を挟持させれば、機器を吊下させることができる。この状態で機器を各スライド部材が横移動可能な範囲で横移動させることができ、また、吊りボルトに対する各スライド部材の回転と各旋回アームの基部での回転により回転リンク機構が構成されるので、機器をほぼ水平面内で旋回移動させることができる。
【０００９】
機器に相対して旋回アームを取り付け、各旋回アームの水平部分に設けられた各スライド部材がそれぞれ移動範囲における同方向端又は中間部に位置する状態でボルト挿通孔に吊りボルトをそれぞれ挿通させ、挿通した各吊りボルトにねじ嵌めされた上下のナットにより各スライド部材を挟持させれば、機器を吊下させることができる。この状態で機器を各スライド部材が横移動可能な範囲で横移動させることができ、また、吊りボルトに対する各スライド部材の回転と各旋回アームの基部での回転により回転リンク機構が構成されるので、機器をほぼ水平面内で旋回移動させることができる。
【００１０】
【実施例】
以下、本発明の一実施例を図面に基づいて説明する。
実施例１．
図１は本発明の一実施例としての空調装置（換気装置や冷暖房装置など空調にかかる装置の総称として用いることとする）を取付状態で示した側面図である。この空調装置は本体１が天井裏の空間に吊り固定されるもので、本体１の下面には天井面２に開設された点検口としての開口部３を閉蓋するパネル４が装着される。本体１は、図２（正面図）に示すように排気のための一つの排気構造５と、吸気のための複数（この実施例では３個である）の吸気構造６と、吸気構造６側から排気構造５側への換気流を形成する送風機７を組込んだ送風装置とから構成されている。
【００１１】
本体１の送風装置の下面はそのまま開放していて、天井面２に倣って装着されるパネル４により閉蓋される。このパネル４は送風装置の投影平面積より広く形成された前面部の背面に角筒状に立ちの低い枠状の嵌合構造８を突出させたプラスチックの一体成形物であり、嵌合構造８は天井面２に開設された角形の開口部３に内嵌合する大きさに形成されている。パネル４の本体１への取り付けは、送風装置の下面の開口部の周囲に形成されたフランジ９へのねじ付けまたは、開脚状の２本のばね足を持つ弾性吊具などにより行なわれる。
【００１２】
本体１の背面（取り付け状態での上面）の４隅部には相対する方向にそれぞれフランジ１０が横方向に突き出して設けられている。これらの各フランジ１０には、本体１を天井裏のスラブ等の構造体に取り付けられ、天井裏の空間に垂下された４本の吊りボルト１１に対して吊下させるための天井吊下装置１２が取り付けられている。
【００１３】
天井吊下装置１２は、図３及び図４並びに図５に示すように本体１のフランジ１０に対してほぼ水平面内で回動できるように基部側が枢着された旋回アーム１３と、この旋回アーム１３に抜止め装着され、旋回アーム１３の基部側から自由端側までの所定の間を横移動できるスライド部材１４とから構成されている。本体１のフランジ１０には図５に示すように、縦方向に円筒状のゴム等よりなる防振部材１５が装着されている。旋回アーム１３自体はチャンネル型の金属材をそのフランジ部が上向きになるようにして構成されている。旋回アーム１３の基部にはそのウェブ部に抜き孔１６が開けられ、抜き孔１６にネジ孔を整合させたナット１７がウェブ部に溶接されている。旋回アーム１３の基部側から自由端側までのウェブ部にはスライド部材１４を装着するための一連のスリット１８が形成されている。
【００１４】
旋回アーム１３のフランジ１０への取り付けはボルト１９とナット１７により行なわれている。即ち、基部のナット１７のネジ孔がフランジ１０の防振部材１５の孔に一致するように防振部材１５にウェブ部の下面が当てられ、防振部材１５より若干長目の筒状のスペーサ２０を防振部材１５に差込んで、さらにスペーサ２０の両端にワッシャ２１を入れて下方からボルト１９を通してナット１７にねじ込むことにより取り付けられている。ボルト１９をねじ込んだ状態でも、スペーサ２０により防振部材１５と各ワッシャ２１との間には隙間が保持されている。
【００１５】
スライド部材１４は、図４に示すように肉厚の筒状に金属パイプなどにより形成されている。その一端側は段差をもって小径に形成され、小径部を旋回アーム１３のスリット１８に上から挿通し、スリット１８から突出した小径部に抜止め部材２２を嵌め込み、小径端をカシメ付けることにより、スリット１８を自由に横移動でき、回転も可能に組付けられている。スライド部材１４の孔は、ボルト挿通孔２３として吊りボルト１１を挿通することができるようになっている。
【００１６】
上記構成の空調装置は、本体１を天井裏の空間に垂下された４本の吊りボルト１１に４個の天井吊下装置１２を使って吊下させることができる。本体１の取り付け方は種々有るが、図６，７，８に基づいてその内の代表的な取り付け方について説明する。図６に示す取り付け方は、各旋回アーム１３をフランジ１０の突き出し方向に沿って延ばし出して、２本ずつの旋回アーム１３を平行にする仕方である。このようにした旋回アーム１３の各スライド部材１４がそれぞれ移動範囲における同方向端又は中間部に位置する状態でボルト挿通孔２３に吊りボルト１１をそれぞれ挿通させ、本体１の開口部３に対する高さ関係は吊りボルト１１に対するナット２４の位置で調節する。この状態では本体１を各スライド部材１４が横移動可能な範囲で横移動させることができ、また、吊りボルト１１に対する各スライド部材１４の回転と各旋回アーム１３の基部での回転により４節回転リンク機構が構成されるので、本体１をほぼ水平面内で旋回移動させることもできる。
【００１７】
図７に示す取り付け方は、各旋回アーム１３をフランジ１０の突き出し方向に直角の方向に延ばし出して、２本ずつの旋回アーム１３を平行にする仕方である。この取り付け方も上述の取り付け方と同様に本体１を移動させることができる。図６の仕方を選ぶかこの図７の仕方を選ぶかは、本体１の取り付け部分にある障害物のある方向に応じて決めればよく、障害物が無い場合にはいずれの仕方によっても同様の結果が得られる。
【００１８】
図８に示す取り付け方は、各旋回アーム１３を本体１の対角線上に配置させる仕方である。この仕方は前述の２例の仕方とは異り、本体１の移動を許容させない取り付け方である。特に、本体１の位置を拘束したいような場合ではこの仕方を採用することも可能である。
【００１９】
移動を許容する取り付け方で吊下された本体１を、天井面２の開口部３に下面を整合させ、パネル４を本体１のフランジ９に固定すれば、本体１はその位置でパネル４の嵌合構造８の開口部３への嵌め合いにより固定され、その移動は規制される。本体１の保守点検においては、パネル４を外せば、本体１を吊下状態のまま天井裏の空間において水平面内で移動させ、開口部３から離反させることができるので好都合であり、保守点検がし易くなる。
【００２０】
なお、旋回アーム１３については、図９に示すようにスリット１８を基部一杯まで形成することにより抜き孔１６をスリット１８の一部として構成することもできる。また、空調装置の本体１にダクト等を接続するものでは、ダクトの本体１との接続部を可撓構造にすることにより、天井吊下装置１２による移動機能をより有効に機能させることができる。天井吊下装置１２の個数は、小型の機器では対向側にひとつずつ、合計２個で吊下させることもできる。
【００２１】
実施例２．
この実施例２は図１０と図１１に示すように、実施例１で示した旋回アーム１３の基部に支持軸２５を一体に固着し、Ｌ字状の旋回アーム１３として構成したもので、支持軸２５に関する構成以外は実施例１のものと同じである。従って、実施例１と同じ部分については同一の符号を用いその説明は省略する。
【００２２】
この実施例２の空調装置の天井吊下装置１２は、実施例１の旋回アーム１３が水平部分となるように支持軸２５を基部に直角方向に取り付け、全体をＬ字状に構成したものである。支持軸２５の外周にはネジが切られ、防振部材１５に挿通したスペーサ２０の両端をワッシャ２１を介して２個のナット２６で締めることにより本体１に取り付けられる。即ち、実施例１のボルト１９を旋回アーム１３に一体化したものである。これ以外の構成は実施例１のものと同じであり、また機能についても実施例１のものと変らないのでそれらについての説明は省略する。
【００２３】
【発明の効果】
機器に相対して旋回アームを取り付け、各旋回アームのスライド部材がそれぞれ移動範囲における同方向端又は中間部に位置する状態でボルト挿通孔に吊りボルトをそれぞれ挿通させ、挿通した各吊りボルトにねじ嵌めされた上下のナットにより各スライド部材を挟持させれば、機器を吊下させることができる。この状態で機器を各スライド部材が横移動可能な範囲で横移動させることができ、また、吊りボルトに対する各スライド部材の回転と各旋回アームの基部での回転により回転リンク機構が構成されるので、機器をほぼ水平面内で旋回移動させることができ、機器を吊下状態のまま移動してその保守点検を行なうことができる。
【００２４】
機器に相対して旋回アームを取り付け、各旋回アームの水平部分に設けられた各スライド部材がそれぞれ移動範囲における同方向端又は中間部に位置する状態でボルト挿通孔に吊りボルトをそれぞれ挿通させ、挿通した各吊りボルトにねじ嵌めされた上下のナットにより各スライド部材を挟持させれば、機器を吊下させることができる。この状態で機器を各スライド部材が横移動可能な範囲で横移動させることができ、また、吊りボルトに対する各スライド部材の回転と各旋回アームの基部での回転により回転リンク機構が構成されるので、機器をほぼ水平面内で旋回移動させることができ、機器を吊下状態のまま移動してその保守点検を行なうことができる。
【図面の簡単な説明】
【図１】  この発明の実施例としての空調装置を取付状態で示す側面図である。
【図２】  実施例１の換気装置を示す正面図である。
【図３】  実施例１の吊下装置を示す平面図である。
【図４】  図３のＡ―Ａ線における断面図である。
【図５】  実施例１の吊下装置を示す分解側面図である。
【図６】  実施例１の吊下装置による取り付け方の一例を示す平面図である。
【図７】  実施例１の吊下装置による取り付け方の一例を示す平面図である。
【図８】  実施例１の吊下装置による取り付け方の一例を示す平面図である。
【図９】  実施例１の他の吊下装置を示す平面図である。
【図１０】  実施例２の吊下装置を示す平面図である。
【図１１】  実施例２の吊下装置を示す分解側面図である。
【図１２】  従来の換気装置及びその吊下装置を示す側面図である。
【符号の説明】
１  本体
２  天井面
３  開口部
４  パネル
８  嵌合構造
１１  吊りボルト
１２  天井吊下装置
１３  旋回アーム
１４  スライド部材
１８  スリット
１９  ボルト
２２  抜止め部材
２３  ボルト挿通孔
２４  ナット
２５  支持軸
【図１】
0003652731.tif 000002
【図２】
0003652731.tif 000003
【図３】
0003652731.tif 000004
【図４】
0003652731.tif 000005
【図５】
0003652731.tif 000006
【図６】
0003652731.tif 000007
【図７】
0003652731.tif 000008
【図８】
0003652731.tif 000009
【図９】
0003652731.tif 000010
【図１０】
0003652731.tif 000011
【図１１】
0003652731.tif 000012
【図１２】
0003652731.tif 000013